(57)【特許請求の範囲】
【請求項１】
隣合うキャビネットの対向するフレーム(1) とフレーム(1) にそれぞれ、フレーム取付板部(31)と連結板部(32)とよりなる断面Ｌ字状の連結金具(3) を、各フレーム取付板部(31)をフレーム(1)、(1)同士が対向する側面側の外側辺(11)から内側に折り曲がる内側辺(12)に取り付けて連結板部(32)、(32)をキャビネットの内側において対向させたうえフレーム(1)とフレーム(1)との間に両フレーム(1)、(1)に取り付けられた側板(2)、(2)を外したことにより生じる間隔を前記各フレーム(1) 、(1) に取り付けた連結金具(3) に設けた間隔保持部(4) により形成して連結板部(32)、(32)同士をネジ止めして連結したことを特徴とする電気機器収納用キャビネットの連結構造。
【請求項２】
連結金具(3) の間隔保持部(4) を、隣合うフレーム(1) とフレーム(1) 同士の間に介在させるスペーサ部材(4a)を連結金具(3) に取り付けてなるものとした請求項１に記載の電気機器収納用キャビネットの連結構造。
【発明の詳細な説明】
【０００１】
【発明の属する技術分野】
本発明は、配電用・通信用キャビネット、ラックをフレーム同士により連結する電気機器収納用キャビネットの連結構造に関するものである。
【０００２】
【従来の技術】
従来の電気機器収納用キャビネットの連結構造は、図１１に示すように隣合うキャビネット（Ａ）、（Ａ）の相対向するフレーム１、１同士を当接させたうえ連結板５３をフレーム１、１に添装したうえネジ止めして連結させたものであった。
【０００３】
【発明が解決しようとする課題】
ところが、この従来のものにあっては、図１及び図２に示すフレーム１の外面に側板２を添装して取り付けたキャビネット（Ａ）を連結する場合に、側板２を外すことによりキャビネット（Ａ）の全幅ｗが（側板板厚＋パッキン厚さ及び取付寸法誤差分ａ）のｔ幅分が小さくなり、そのため、予めキャビネット（Ａ）の全幅ｗ間隔で基台を設けた箇所に設置する場合に隣合うキャビネット（Ａ）が基台からｔ幅分の２倍ずれ歪んだ状態で連結されるという問題がある。
【０００４】
【課題を解決するための手段】
前記の課題を解決するためになされた本発明の電気機器収納用キャビネットの連結構造は、隣合うキャビネットの対向するフレームとフレームにそれぞれ、フレーム取付板部と連結板部とよりなる断面Ｌ字状の連結金具を、各フレーム取付板部をフレーム同士が対向する側面側の外側辺から内側に折り曲がる内側辺に取り付けて連結板部をキャビネットの内側において対向させたうえフレームとフレームとの間に両フレームに取り付けられた側板を外したことにより生じる間隔を前記各フレームに取り付けた連結金具に設けた間隔保持部により形成して連結板部同士をネジ止めして連結したことを特徴とするものである。そして、連結金具の間隔保持部を、隣合うフレームとフレーム同士の間に介在させるスペーサ部材を連結金具に取り付けてなるものとすることが好ましい。
【０００５】
【発明の実施の形態】
次に、本発明の好ましい実施の形態を図面に基づき説明する。
先ず、図１及び図２は電気機器収納用キャビネット（Ａ）を示す図であり、図示のキャビネット（Ａ）は中空断面形状を有するフレーム１の外面に側板２を添装して箱形としたものである。図３から図１０において３、３は２個のキャビネット（Ａ）を側板２、２を外して連結する場合に対向させたフレーム１、１同士を連結させる連結金具である。該連結金具３はフレーム取付板部３１と連結板部３２とよりなる断面Ｌ字状のものであり、フレーム取付板部３１をフレーム１、１同士が対向する側面側の外側辺１１から内側に折り曲がる内側辺１２に取り付けて連結板部３２、３２をキャビネットの内側において対向させて各連結板部３２に設けたボルト挿通孔３２ａ、３２ａにボルト１０１を挿通したうえナット１０２を螺合して締めつけてネジ止めし連結板部３２、３２が強固に連結されて隣合うキャビネット（Ａ）、（Ａ）が連結される。
【０００６】
また、該連結金具３、３の双方又は一方にはフレーム１とフレーム１との間に所要の間隔すなわちｔ幅分（外した側板板厚＋ａ（パッキン厚さ及び取付寸法誤差））を形成するための間隔保持部４が形成してある。これにより、前記したとおり連結金具３、３の連結板部３２、３２をネジ止めすることによりフレーム１とフレーム１との間に自動的に所要の間隔を設けて強固に連結でき、キャビネット（Ａ）を設置するための基台を設けた箇所に設置する場合にあっても歪んだ状態で連結されることがないものである。
【０００７】
すなわち、前記した連結金具３、３の双方又は一方に形成した間隔保持部４は図３から図６に示す第１の実施形態にあっては、対向させた各フレーム１に取り付けた双方の連結金具３、３のフレーム取付板部３１に添装する取付片４１にｔ幅分の板厚のスペーサ板部４２を折曲形成したスペーサ部材４ａよりなるものとして、スペーサ板部４２、４２をフレーム１、１の間に介在させて連結してキャビネット（Ａ）、（Ａ）同士の間隔を保持するものである。また、このスペーサ部材４ａは図４及び図６に示すように複数個の連結金具３に共通させたフレーム１の全長に亘る長さを有する一連のものとすることにより部品点数を少なくでき、さらに、フレーム１とフレーム１との間隙を塞ぎキャビネット（Ａ）内に塵埃が侵入するのを防止するとともに外観の優れたものとすることができる。
【０００８】
また、連結金具３はフレーム取付板部３１に切り起こし形成した掛鉤部３１ａをスペーサ部材４ａの取付片４１に透設した窓孔４１ａから張出させてフレーム１の内側辺１２に設けた鉤孔部１２ａに係合させてスペーサ部材４ａの取付片４１を挟持してフレーム１に容易に取り付けできるものとしている。また、この第１の実施形態の他例である図５及び図６に示すものは、フレーム１の外側辺１１から内側に折り曲がる内側辺１２の基端を凹み段部１２１に形成して隣合う凹み段部１２１、１２１に形成される凹部１２２に連結金具３を取り付けることにより、キャビネット（Ａ）内への突出を少なくして機器取付スペース、配線スペースを広くできる利点がある。
【０００９】
図７に示す第２の実施形態にあっては、連結金具３、３の双方又は一方に形成した間隔保持部４としては、対向させた各フレーム１に取り付けた双方の連結金具３、３の連結板部３２、３２に添装する取付片４１をｔ幅分の板厚とするとともに該取付片４１の先端に同じ板厚のスペーサ板部４２を延設したよりなるものとして、スペーサ板部４２、４２をフレーム１、１の間に介在させて連結したキャビネット（Ａ）、（Ａ）同士の間隔を保持するものである。
【００１０】
図８に示す第３の実施形態にあっては、連結金具３、３の双方又は一方に形成した間隔保持部４としては、対向させた各フレーム１に取り付けた一方の連結金具３の連結板部３２に添装する取付片４１をｔ幅分の２倍の板厚とするとともに該取付片４１の先端に同じ板厚のスペーサ板部４２を延設したよりなるものとして、スペーサ板部４２をフレーム１、１の間に介在させて連結したキャビネット（Ａ）、（Ａ）同士の間隔を保持するものである。
【００１１】
図９に示す第４の実施形態にあっては、連結金具３、３の双方又は一方に形成した間隔保持部４としては、対向させた各フレーム１に取り付けた一方の連結金具３のフレーム取付板部３１に添装する取付片４１にｔ幅分の２倍の板厚のスペーサ板部４２を折曲形成したスペーサ部材４ａによりなるものとして、スペーサ板部４２をフレーム１、１の間に介在させて連結したキャビネット（Ａ）、（Ａ）同士の間隔を保持するものである。
【００１２】
図１０に示す第５の実施形態にあっては、連結金具３、３の双方又は一方に形成した間隔保持部４としては、対向させた各フレーム１に取り付けた双方の連結金具３の連結板部３２、３２の当接面をそれぞれフレーム１の外側辺１１よりｔ幅分づつ突出させて形成して、キャビネット（Ａ）、（Ａ）同士の間隔を保持するものである。
【００１３】
なお、前記の実施形態は全て、外した側板板厚＋ａ（パッキン厚さ及び取付寸法誤差）のｔ幅分の間隔をフレーム１とフレーム１との間に設ける連結構造であるが、外した側板板厚のみの寸法でもよい。また、連結金具は双方を締めつけて連結しているが、１つの連結金具でもよく、それにスペーサ部材を設けてもよい。
【００１４】
【発明の効果】
以上に説明したように、本発明の電気機器収納用キャビネットの連結構造によれば、キャビネットをフレーム同士により連結しても、連結金具の双方又は一方にはフレームとフレームとの間に所要の間隔を設けるための間隔保持部が形成してあるので、連結したキャビネットを基台に応じた適正な間隔をもって設置できるもので、業界にもたらす益大なものである。
【図面の簡単な説明】
【図１】側板を取り付けた状態のキャビネットを示す概略的な水平断面図である。
【図２】側板を取り付けた状態のキャビネットを示す要部の水平断面図である。
【図３】本発明の第１の実施形態を示す要部の水平断面図である。
【図４】本発明の第１の実施形態に使用する連結金具とスペーサ部材を示す斜視図である。
【図５】本発明の第１の実施形態の他例を示す要部の水平断面図である。
【図６】本発明の第１の実施形態の他例に使用する連結金具とスペーサ部材を示す斜視図である。
【図７】本発明の第２の実施形態を示す要部の水平断面図である。
【図８】本発明の第３の実施形態を示す要部の水平断面図である。
【図９】本発明の第４の実施形態を示す要部の水平断面図である。
【図１０】本発明の第５の実施形態を示す要部の水平断面図である。
【図１１】従来例をで示す要部の水平断面図である。
【符号の説明】
１  フレーム
２  側板
３  連結金具
４  間隔保持部
4a  スペーサ部材
31  フレーム取付板部
32  連結板部
【図１】
0003793412.tif 000002
【図２】
0003793412.tif 000003
【図３】
0003793412.tif 000004
【図４】
0003793412.tif 000005
【図５】
0003793412.tif 000006
【図６】
0003793412.tif 000007
【図７】
0003793412.tif 000008
【図８】
0003793412.tif 000009
【図９】
0003793412.tif 000010
【図１０】
0003793412.tif 000011
【図１１】
0003793412.tif 000012